(57)【要約】【課題】隣接セルからのクロストーク等の影響で壁電圧が変動しても、その変動分を補償することにより、十分な駆動マージンを確保できるＰＤＰの高コントラスト駆動方法を提供する。【解決手段】本発明のＰＤＰの駆動方法は、１フィールド期間を構成する複数のサブフィールドのうち、維持放電を起こした放電セルに対してのみ放電を起こす選択初期化を行うサブフィールドの初期化波形として、完全初期化を行う上り傾斜波形電圧より小さい電圧を持つ上り傾斜波形を走査電極に印加することを特徴とする。【選択図】  図３
2004157291.tif 000002
【特許請求の範囲】
【請求項１】
走査電極および維持電極を形成した前面基板とデータ電極を形成した背面基板とを対向配置した３電極ＡＣ型プラズマディスプレイパネルを駆動する方法であって、
１フィールド期間が初期化期間、書き込み期間、維持期間を有する複数のサブフィールドから構成され、
前記複数のサブフィールドのうち少なくとも１つのサブフィールドの初期化期間において画像表示にかかわるすべての放電セルで放電を発生させる第１の上り傾斜波形電圧を前記走査電極に印加し、
前記複数のサブフィールドのうち少なくとも１つのサブフィールドの初期化期間において前記第１の上り傾斜波形電圧より小さい電圧をもつ第２の上り傾斜波形電圧を前記走査電極に印加する
ＡＣ型プラズマディスプレイパネルの駆動方法。
【請求項２】
前記第２の上り傾斜波形電圧は、前記維持期間において前記走査電極に印加する維持パルス電圧より小さいことを特徴とする請求項１記載のＡＣ型プラズマディスプレイパネルの駆動方法。
【請求項３】
前記第１の上り傾斜波形電圧および前記第２の上り傾斜波形電圧はランプ波形電圧であることを特徴とする請求項１または請求項２記載のＡＣ型プラズマディスプレイパネルの駆動方法。
【請求項４】
走査電極および維持電極を形成した前面基板とデータ電極を形成した背面基板とを対向配置した３電極ＡＣ型プラズマディスプレイパネルを駆動する駆動装置であって、
画像表示にかかわるすべての放電セルで放電を発生させる第１の上り傾斜波形電圧を前記走査電極に印加する上り傾斜波形電圧発生回路と、
前記第１の上り傾斜波形電圧より小さい電圧をもつ第２の上り傾斜波形電圧を前記走査電極に印加する上り傾斜波形電圧発生回路と
を備えたＡＣ型プラズマディスプレイパネルの駆動装置。
【請求項５】
前記第２の上り傾斜波形電圧は、前記維持期間において前記走査電極に印加する維持パルス電圧より小さいことを特徴とする請求項４記載のＡＣ型プラズマディスプレイパネルの駆動装置。
【請求項６】
前記第１の上り傾斜波形電圧および前記第２の上り傾斜波形電圧はランプ波形電圧であることを特徴とする請求項４または請求項５記載のＡＣ型プラズマディスプレイパネルの駆動装置。
【発明の詳細な説明】
【０００１】
【発明の属する技術分野】
本発明は、ＡＣ型プラズマディスプレイパネルの駆動方法および駆動装置に関する。
【０００２】
【従来の技術】
ＡＣ型プラズマディスプレイパネル（以下、ＰＤＰと略記する）は一般に、ｎ個の走査電極ＳＣＮ１〜ＳＣＮｎおよびｎ個の維持電極ＳＵＳ１〜ＳＵＳｎが対をなして配列された前面基板と、ｍ個のデータ電極Ｄ１〜Ｄｍが配列された背面基板とが放電空間を挟んで互いに対向配置されて構成されている。したがって、１対の走査電極ＳＣＮｉ−維持電極ＳＵＳｉ対（ｉ＝１〜ｎ）と１つのデータ電極Ｄｊ（ｊ＝１〜ｍ）とを含む放電セルが放電空間内に多数（この場合はｍ×ｎ）個形成されている。
【０００３】
また、ＰＤＰを用いた画像表示装置は、映像信号の１フィールド期間を輝度の重み付け（輝度重み）を有する複数のサブフィールドに分割し、各々のサブフィールドで輝度重みに対応した回数だけ放電セルに放電を起こす。そして、放電を起こすサブフィールドを組み合わせることで映像信号の階調を表現する駆動方法が用いられている。この中で、階調表現に関係しない発光の回数を極力減らしコントラスト比を向上するための駆動方法（高コントラスト駆動）が提案されている（例えば特許文献１参照）。
【０００４】
図５は、従来のＰＤＰの駆動方法における駆動波形図である。ここでは、１フィールド期間をそれぞれ異なる輝度重みを有する８個のサブフィールドで構成した場合の高コントラスト駆動波形の一例を示している。各サブフィールドはそれぞれ初期化期間、書き込み期間、維持期間で構成されている。ここで初期化期間における初期化動作には、すべての放電セルを初期化する完全初期化動作と、放電した放電セルのみ選択的に初期化する選択初期化動作があり、完全初期化動作は第１サブフィールドの初期化期間に行われ、選択初期化動作は第２〜第８サブフィールドの初期化期間に行われる。以下、プラズマディスプレイ装置における従来の高コントラスト駆動波形について簡単に説明する。
【０００５】
第１サブフィールドの初期化期間の前半部では、走査電極ＳＣＮ１〜ＳＣＮｎにＶｐ（Ｖ）からＶｒ（Ｖ）までの緩やかに上昇するランプ波形電圧を印加して、すべての放電セルで微弱な放電を発生させ、各放電セルに壁電荷を形成する。第１サブフィールドの初期化期間の後半部では、Ｖｑ（Ｖ）からＶａ’（Ｖ）までの緩やかに下降するランプ波形電圧を印加して過剰な壁電荷を弱める。これにより、続く書き込み期間での書き込み放電に必要な壁電荷をすべての放電セルに形成する。このように第１サブフィールドの初期化動作はすべての放電セルを放電させる完全初期化動作である。
【０００６】
第１サブフィールドの書き込み期間では、走査電極ＳＣＮｉにＶｓｃａｎ（Ｖ）からＶａ（Ｖ）となる走査パルスを順次印加すると同時に、映像信号にしたがってデータ電極ＤｊにＶｄａｔａ（Ｖ）の書き込みパルスを印加し、放電させるべき放電セルにのみ書き込み放電を起こす。これにより、続く維持期間での維持放電に必要な壁電荷を放電セルに形成する。
【０００７】
第１サブフィールドの維持期間では、走査電極ＳＣＮｉ、維持電極ＳＵＳｉにＶｓｓ（Ｖ）の維持パルスを交互に印加して、書き込み放電を起こした放電セルに、輝度重みに対応した回数だけ維持放電を起こす。
【０００８】
第２〜第８サブフィールドの初期化期間の前半部では、０（Ｖ）から一旦Ｖｓｓ（Ｖ）に上昇しＶｂｋ（Ｖ）へ速やかに下降する幅の細いパルスを走査電極ＳＣＮ１〜ＳＣＮｎに印加するとともに、Ｖｓｓ（Ｖ）から一旦０（Ｖ）に下降しＶｂｋ（Ｖ）へ速やかに上昇する幅の細いパルスを維持電極ＳＵＳ１〜ＳＵＳｎに印加する。初期化期間の後半部ではＶｑ’（Ｖ）からＶａ’（Ｖ）までの緩やかに降下するランプ波形電圧を印加して過剰な壁電荷を弱める。これにより、維持放電を起こした放電セル対してのみ放電を起こし、維持放電によって蓄積された壁電荷を消去する。続く書き込み期間、維持期間については第１サブフィールドと同様の波形を印加する。
【０００９】
このように、第２サブフィールドから第８サブフィールドにおける初期化動作は、維持放電を起こした放電セル対してのみ放電を起こす選択初期化動作である。したがって、階調表示に無関係な発光は１フィールドに１回のみ、すなわち第１サブフィールドの完全初期化動作のみとなり、さらにその発光もランプ波形電圧に伴う微弱発光であるのでコントラストの高い映像表示が可能となる。
【００１０】
【特許文献１】
特開２０００−２４２２２４号公報
【００１１】
【発明が解決しようとする課題】
上述のように、ＰＤＰを正確に駆動するためには、各々の放電セルの走査電極ＳＣＮｉ上部、維持電極ＳＵＳｉ上部、データ電極Ｄｊ上部の壁電荷を精度よく制御する必要がある。誘電体上に蓄積された壁電荷は一般に移動しにくく、通常１フィールド程度の時間ではほとんど変化しないと考えてよい。したがって壁電荷によって生じる電圧、すなわち壁電圧も一定である。
【００１２】
しかし、放電空間内に荷電粒子が存在する場合には、荷電粒子が誘電体上の壁電荷と再結合しその結果壁電圧が減少する等、壁電圧の変動を引き起こす。特にデータ電極Ｄｊ上の壁電圧は放電空間内の荷電粒子の影響を受けやすく、わずかの荷電粒子の影響でその壁電圧が大きく変動することがある。例えば、放電セルの放電により生じた荷電粒子が放電セルの境界を飛び越えて隣接する放電しない放電セルに飛来した場合には、放電していない放電セルのデータ電極Ｄｊ上部の壁電圧が大きく変化してしまう。特に上述した高コントラスト駆動方法においては、すべての放電セルに壁電荷を形成する完全初期化は第１サブフィールド以降行われないため、このとき蓄積した壁電荷を最大１フィールド期間保持しなければならない。しかしながら、書き込み、あるいは維持放電を起こさない放電セルであっても壁電荷は隣接セルの放電の影響で徐々に減少し、その結果、点灯させたいサブフィールドの書き込み期間において壁電荷が不足し書き込み動作を行えない等、駆動マージンが低下するという課題があった。
【００１３】
本発明は、上記課題を解決するためになされたものであり、壁電圧が変動してもその変動分を補償することにより、十分な駆動マージンを確保できるＰＤＰの駆動方法および駆動装置を提供することを目的とする。
【００１４】
【課題を解決するための手段】
本発明のＰＤＰの駆動方法は、１フィールド期間を構成する複数のサブフィールドのうち選択初期化を行うサブフィールドの初期化波形として、完全初期化を行う上り傾斜波形電圧より小さい電圧をもつ上り傾斜波形を走査電極に印加することを特徴とする。
【００１５】
【発明の実施の形態】
すなわち、請求項１に記載の発明は、走査電極および維持電極を形成した前面基板とデータ電極を形成した背面基板とを対向配置した３電極ＰＤＰを駆動する方法であって、１フィールド期間が初期化期間、書き込み期間、維持期間を有する複数のサブフィールドから構成され、複数のサブフィールドのうち少なくとも１つのサブフィールドの初期化期間において画像表示にかかわるすべての放電セルで放電を発生させる第１の上り傾斜波形電圧を走査電極に印加し、複数のサブフィールドのうち少なくとも１つのサブフィールドの初期化期間において第１の上り傾斜波形電圧より小さい電圧をもつ第２の上り傾斜波形電圧を走査電極に印加するＰＤＰの駆動方法である。
【００１６】
また、請求項２に記載の発明は、請求項１において、第２の上り傾斜波形電圧が、維持期間において走査電極に印加する維持パルス電圧より小さいことを特徴とするＰＤＰの駆動方法である。
【００１７】
また、請求項３に記載の発明は、請求項１または請求項２において、第１の上り傾斜波形電圧および第２の上り傾斜波形電圧がランプ波形電圧であることを特徴とするＰＤＰの駆動方法である。
【００１８】
また、請求項４に記載の発明は、走査電極および維持電極を形成した前面基板とデータ電極を形成した背面基板とを対向配置した３電極ＰＤＰを駆動する駆動装置であって、画像表示にかかわるすべての放電セルで放電を発生させる第１の上り傾斜波形電圧を走査電極に印加する上り傾斜波形電圧発生回路と、第１の上り傾斜波形電圧より小さい電圧をもつ第２の上り傾斜波形電圧を走査電極に印加する上り傾斜波形電圧発生回路とを備えたＰＤＰの駆動装置である。
【００１９】
また、請求項５に記載の発明は、請求項４において、第２の上り傾斜波形電圧が、維持期間において走査電極に印加する維持パルス電圧より小さいことを特徴とするＰＤＰの駆動装置である。
【００２０】
また、請求項６に記載の発明は、請求項４または請求項５において、第１の上り傾斜波形電圧および第２の上り傾斜波形電圧がランプ波形電圧であることを特徴とするＰＤＰの駆動装置である。
【００２１】
以下、本発明の一実施の形態について図面を参照しながら詳細に説明する。
【００２２】
（実施の形態）
図１は本発明の実施の形態に用いるＰＤＰの構造を示す分解斜視図である。ＰＤＰ１は、対向して配置された前面基板２と背面基板３とを有している。前面基板２は、前面ガラス板４上に走査電極５と維持電極６とが互いに平行に対をなして複数対形成されている。そして、これらの走査電極５と維持電極６とを覆うように誘電体層７が形成され、この誘電体層７の表面を覆うように保護層８が形成されている。背面基板３は、背面ガラス板９上にデータ電極１０が互いに平行に複数形成され、このデータ電極１０を覆うように誘電体層１１が形成されている。そして、この誘電体層１１上にデータ電極１０と平行に隔壁１２が複数形成され、誘電体層１１の表面と隔壁１２の側面とに蛍光体層１３が形成されている。さらに、前面基板２と背面基板３とに挟まれた放電空間１４には、放電ガスが封入されている。
【００２３】
図２はＰＤＰ１の電極配列図である。列方向にｍ列のデータ電極Ｄ１〜Ｄｍ（図１のデータ電極１０）が配列され、行方向にｎ行の走査電極ＳＣＮ１〜ＳＣＮｎ（図１の走査電極５）とｎ行の維持電極ＳＵＳ１〜ＳＵＳｎ（図１の維持電極６）とが交互に配列されている。そして、１対の走査電極ＳＣＮｉ、維持電極ＳＵＳｉ（ｉ＝１〜ｎ）と１つのデータ電極Ｄｊ（ｊ＝１〜ｍ）とを含む放電セル１５が放電空間内にｍ×ｎ個形成されている。
【００２４】
次に、ＰＤＰを駆動するための駆動波形とそのタイミングについて説明する。
【００２５】
図３は、本発明の実施の形態におけるＰＤＰの駆動方法の駆動波形図である。なお本実施の形態においては、１フィールド期間が初期化期間、書き込み期間、維持期間を有する第１〜第８サブフィールドから構成されているものとして説明するが、他のサブフィールド構成であってもよい。
【００２６】
第１サブフィールドの初期化期間前半部では、データ電極Ｄ１〜Ｄｍおよび維持電極ＳＵＳ１〜ＳＵＳｎを０（Ｖ）に保持し、走査電極ＳＣＮ１〜ＳＣＮｎには、維持電極ＳＵＳ１〜ＳＵＳｎに対して放電開始電圧以下の電圧Ｖｐ（Ｖ）から、放電開始電圧を超える電圧Ｖｒ（Ｖ）に向かって緩やかに上昇するランプ波形電圧を第１の上り傾斜波形電圧として印加する。このランプ電圧が上昇する間に、画像表示にかかわるすべての放電セル１５において、走査電極ＳＣＮ１〜ＳＣＮｎから維持電極ＳＵＳ１〜ＳＵＳｎおよびデータ電極Ｄ１〜Ｄｍにそれぞれ１回目の微弱な初期化放電が起こり、走査電極ＳＣＮ１〜ＳＣＮｎ上部に負の壁電圧が蓄積されるとともに、データ電極Ｄ１〜Ｄｍ上部および維持電極ＳＵＳ１〜ＳＵＳｎ上部には正の壁電圧が蓄積される。
【００２７】
第１サブフィールドの初期化期間後半部では、維持電極ＳＵＳ１〜ＳＵＳｎを正電圧Ｖｅ（Ｖ）に保ち、走査電極ＳＣＮ１〜ＳＣＮｎには、維持電極ＳＵＳ１〜ＳＵＳｎに対して放電開始電圧以下となる電圧Ｖｑ（Ｖ）から放電開始電圧を超える電圧Ｖａ’（Ｖ）に向かって緩やかに下降するランプ波形電圧を印加する。このランプ電圧が下降する間に、再びすべての放電セル１２において、維持電極ＳＵＳ１〜ＳＵＳｎから走査電極ＳＣＮ１〜ＳＣＮｎにそれぞれ２回目の微弱な初期化放電が起こり、走査電極ＳＣＮ１〜ＳＣＮｎ上部の負の壁電圧および維持電極ＳＵＳ１〜ＳＵＳｎ上部の正の壁電圧が弱められる。また、データ電極Ｄ１〜Ｄｍと走査電極ＳＣＮ１〜ＳＣＮｎとの間にも微弱な放電が起こり、データ電極Ｄ１〜Ｄｍ上部の正の壁電圧は書き込み動作に適した値に調整される。
【００２８】
以上により画像表示にかかわるすべての放電セル１５を放電させる完全初期化動作が終了する。
【００２９】
第１サブフィールドの書き込み期間では、走査電極ＳＣＮ１〜ＳＣＮｎを一旦Ｖｓｃａｎ（Ｖ）に保持し、データ電極Ｄ１〜Ｄｍのうち、１行目に表示すべき放電セル１５に対応するデータ電極Ｄｋ（ｋは１〜ｍの整数を表す）に正の書き込みパルス電圧Ｖｄａｔａ（Ｖ）を、１行目の走査電極ＳＣＮ１に走査パルス電圧Ｖａ（Ｖ）をそれぞれ印加する。このとき、正の書き込みパルス電圧Ｖｄａｔａ（Ｖ）を印加したデータ電極Ｄｋ上部と走査電極ＳＣＮ１上部との交差部における電圧差は、書き込みパルス電圧Ｖｄａｔａ（Ｖ）にデータ電極Ｄ１〜Ｄｍ上部の正の壁電圧が加算されたものとなり、放電開始電圧を超えるので、この交差部において、維持電極ＳＵＳ１と走査電極ＳＣＮ１との間およびデータ電極Ｄｋと走査電極ＳＣＮ１との間に書き込み放電が起こり、この交差部の走査電極ＳＣＮ１上部に正電圧が蓄積され、維持電極ＳＵＳ１上部に負電圧が蓄積され、書き込み放電が起こったデータ電極Ｄｋ上部に負電圧が蓄積される。一方、正の書き込みパルス電圧Ｖｄａｔａ（Ｖ）を印加しなかったデータ電極Ｄｌ（ｌは１〜ｍの整数を表す）上部と走査電極ＳＣＮ１上部との交差部における電圧差は放電開始電圧を超えないので書き込み放電は発生しない。
【００３０】
同様の書き込み動作をｎ行目の放電セル１５に至るまで行い、書き込み動作が終了する。
【００３１】
第１サブフィールドの維持期間においては、まず、走査電極ＳＣＮ１〜ＳＣＮｎおよび維持電極ＳＵＳ１〜ＳＵＳｎを０（Ｖ）に一旦戻した後、走査電極ＳＣＮ１〜ＳＣＮｎに正の維持パルス電圧Ｖｓｓ（Ｖ）を印加する。このとき、書き込み放電を起こした放電セル１５における走査電極ＳＣＮｉ上部と維持電極ＳＵＳｉ上部との間の電圧は、書き込み期間において、走査電極ＳＣＮｉ上部に蓄積された正の壁電圧および維持電極ＳＵＳｉ上部に蓄積された負の壁電圧を加算したものにさらに維持パルス電圧Ｖｓｓ（Ｖ）を加算したものとなり、放電開始電圧を超える。このため、書き込み放電を起こした放電セル１５において、走査電極ＳＣＮｉと維持電極ＳＵＳｉとの間に維持放電が起こり、この維持放電を起こした放電セル１５における走査電極ＳＣＮｉ上部には負の壁電圧が蓄積され、維持電極ＳＵＳｉ上部には正の壁電圧が蓄積される。続いて、走査電極ＳＣＮ１〜ＳＣＮｎを０（Ｖ）に戻し、維持電極ＳＵＳ１〜ＳＵＳｎに正の維持パルス電圧Ｖｓｓ（Ｖ）を印加すると、維持放電を起こした放電セル１５における維持電極ＳＵＳｉ上部と走査電極ＳＣＮｉ上部との間の電圧は、再び放電開始電圧を超え、維持電極ＳＵＳｉと走査電極ＳＣＮｉとの間に維持放電が起こる。以降同様に、走査電極ＳＣＮ１〜ＳＣＮｎと維持電極ＳＵＳ１〜ＳＵＳｎとに正の維持パルス電圧Ｖｓｓ（Ｖ）を交互に印加することにより、書き込み放電を起こした放電セル１５に対してサブフィールドの輝度の重み付けに対応した回数だけ維持放電が継続して行われる。
【００３２】
一方、書き込み放電を起こさなかった放電セル１５における走査電極ＳＣＮｉ上部と維持電極ＳＵＳｉ上部の壁電圧は、第１サブフィールドの初期化期間後半部において弱められたままであるので、維持電圧印加時においても走査電極ＳＣＮｉ上部と維持電極ＳＵＳｉ上部との間は放電開始電圧を超えることがない。このため、書き込み放電を起こさなかった放電セル１５は維持放電を起こさない。
【００３３】
第２〜第８サブフィールドの初期化期間の前半部では、維持電極ＳＵＳ１〜ＳＵＳｎを一定電圧Ｖｂｋ（ｖ）に保持し、走査電極ＳＣＮ１〜ＳＣＮｎに０（Ｖ）からＶｒｍ（Ｖ）に向かって緩やかに上昇するランプ電圧を第２の上り傾斜波形電圧として印加する。このとき、維持放電を起こした放電セル１５においては、走査電極ＳＣＮｉ上部と維持電極ＳＵＳｉ上部との間の電圧は、維持期間の最終時点における走査電極ＳＣＮｉ上部の正の壁電圧および維持電極ＳＵＳｉ上部の負の壁電圧がこのランプ電圧に加算されたものとなり、放電開始電圧を超える。このため、維持電極ＳＵＳｉと走査電極ＳＣＮｉとの間に微弱な放電が起こり、走査電極ＳＣＮｉ上部には弱い負の壁電圧、維持電極ＳＵＳｉ上部には弱い正の壁電圧が一旦蓄積される。また、データ電極Ｄｋと走査電極ＳＣＮｉの間にも微弱な放電が発生しデータ電極Ｄｋ上に正の電荷が蓄積される。
【００３４】
一方、維持放電を起こさなかった放電セル１５は、走査電極ＳＣＮｉ上部と維持電極ＳＵＳｉ上部との間の電圧は放電開始電圧を超えないため、放電は起こらない。また、維持放電を起こさなかった放電セル１５のデータ電極Ｄｌ上部には第１サブフィールドの初期化期間後半部において蓄積された正の壁電圧が存在し、この壁電圧が、走査電極ＳＣＮｉ上部とデータ電極Ｄｋ上部との間の電圧を弱める働きをするため、放電開始電圧を超えず、走査電極ＳＣＮｉとデータ電極Ｄｌとの間の放電も発生しない。
【００３５】
また、維持放電を起こさなかった放電セル１５のうち、隣接する放電セル１５の書き込み放電あるいは維持放電の影響を受けてデータ電極Ｄｌ’（ｌ’は１〜ｍの整数を表す）上部の正の壁電圧に不足を生じた放電セル１５に対しては、走査電極ＳＣＮｉ上部と維持電極ＳＵＳｉ上部との間の電圧は放電開始電圧を超えないため走査電極ＳＣＮｉと維持電極ＳＵＳｉ間の放電は起こらない。しかし、維持放電を起こさなかった放電セル１５のデータ電極Ｄｌ’上部には第１サブフィールドの初期化期間後半部において蓄積された正の壁電圧が存在するものの、壁電圧の値が不足しており、この壁電圧が、走査電極ＳＣＮｉ上部とデータ電極Ｄｌ’上部との間の電圧を十分弱めることができないため、放電開始電圧を超える。そして、走査電極ＳＣＮｉとデータ電極Ｄｌ’との間に微弱な放電が発生し、データ電極Ｄｌ’上部に正の壁電圧が補給される。この場合、微弱放電による発光が見えるが、通常電荷消失は発光セルの隣接で起こることが多いのでこの発光は通常認知されずしたがってコントラストを劣化させるには至らない。Ｖｒｍ（Ｖ）の値は、小さすぎるとデータ電極の電荷の補充が行えないが、必要以上に大きすぎるとすべてのセルが発光しコントラストを劣化させるので、正の維持パルス電圧Ｖｓｓ（Ｖ）より小さい範囲で放電セル１５の放電特性に応じて実験的に決める。
【００３６】
第２〜第８サブフィールドの初期化期間の後半部では、維持電極ＳＵＳ１〜ＳＵＳｎを正電圧Ｖｅ（Ｖ）に保ち、走査電極ＳＣＮ１〜ＳＣＮｎには０（Ｖ）からＶａ’（Ｖ）に向かって緩やかに下降するランプ波形電圧を印加する。このとき、維持放電を起こした放電セル１５においては、維持電極ＳＵＳｉから走査電極ＳＣＮｉ２回目の微弱な初期化放電が起こり、走査電極ＳＣＮｉ上部の負の壁電圧および維持電極ＳＵＳｉ上部の正の壁電圧が弱められる。また、データ電極Ｄｋと走査電極ＳＣＮｉとの間にも微弱な放電が起こり、電極Ｄｋ上部の正の壁電圧は書き込み動作に適した値に調整される。
【００３７】
一方、維持放電を起こさなかった放電セル１５は、走査電極ＳＣＮｉと維持電極ＳＵＳｉとの間の放電は起こらない。また、走査電極ＳＣＮｉとデータ電極Ｄｌとの間の放電も発生しない。
【００３８】
また、維持放電を起こさなかった放電セル１５のうち、隣接する放電セル１５の書き込み放電あるいは維持放電の影響を受けてデータ電極Ｄｌ’上部の正の壁電圧に不足を生じた放電セル１５に対しては、走査電極ＳＣＮｉと維持電極ＳＵＳｉ間の放電は起こらない。しかし、データ電極Ｄｌ’と走査電極ＳＣＮｉとの間には微弱な放電が起こり、電極Ｄｌ’上部の正の壁電圧は書き込み動作に適した値に調整される。
【００３９】
以上のように、維持放電を起こした放電セル１５、維持放電を起こさなかった放電セル１５、維持放電を起こさなかった放電セル１５のうち隣接する放電セル１５の書き込み放電あるいは維持放電の影響を受けてデータ電極上部の正の壁電圧に不足を生じた放電セル１５いずれの場合においても、走査電極５、維持電極６、データ電極１０の各電極上部の壁電圧は第１サブフィールドにおける完全初期化動作終了時の壁電圧と等しくなる。
【００４０】
第２〜第８サブフィールドの書き込み期間、維持期間については第１サブフィールドにおける動作と同様であるため説明を省略する。なお、図３の第８サブフィールドの維持期間の後に選択初期化期間前半における波形が挿入されているが、これは、第１のサブフィールドの初期化期間のＶｐ（Ｖ）印加時に維持放電を起こした放電セルが放電開始電圧を超え誤放電することを防止するためである。
【００４１】
なお、本実施の形態のＰＤＰの駆動方法においては、第１サブフィールドの初期化期間において完全初期化動作を行ったが、完全初期化動作は、他の任意のサブフィールドの初期化期間に行ってもよく、また、複数フィールドに１回（例えば２フィールドに１回）行ってもよい。
【００４２】
また、本実施の形態のＰＤＰの駆動方法においては、選択初期化動作を行うすべてのサブフィールドで第２の上り傾斜波形電圧を用いたが、隣接する放電セル１５からの荷電粒子の飛来が多いサブフィールド、例えば輝度重みの大きいサブフィールドに限って第２の上り傾斜波形電圧を用い、他のサブフィールドにおいては図５に示した従来の選択初期化の電圧波形を用いてもよい。
【００４３】
さらに、本実施の形態のＰＤＰの駆動方法においては、上り傾斜波形電圧として緩やかに上昇するランプ波形電圧を用いたが、強放電を起こさない範囲の傾斜電圧波形であれば他の電圧波形であってもよく、例えば１０Ｖ／１μｓ以下の傾斜をもつ指数関数波形等でもよい。
【００４４】
このように、選択初期化を行う際、第２の上り傾斜波形電圧を走査電極に印加することにより、たとえデータ電極上の壁電圧に不足が生じた場合であっても、壁電圧の不足分を確実に補給することができるため、高コントラスト駆動でありながら駆動マージンの低下を抑えることが可能となる。
【００４５】
図４は、本実施の形態におけるＰＤＰの駆動方法を用いた駆動装置の一例を示す回路ブロック図である。本実施の形態における駆動装置１００は、映像信号処理回路１０１、データ電極駆動回路１０２、タイミング制御回路１０３、走査電極駆動回路１０４および維持電極駆動回路１０５を有している。映像信号および同期信号は、映像信号処理回路１０１に入力される。映像信号処理回路１０１は、映像信号および同期信号に基づいて、各サブフィールドを点灯するか否かを制御するサブフィールド信号をデータ電極駆動回路１０２に出力する。また、同期信号はタイミング制御回路１０３にも入力される。タイミング制御回路１０３は同期信号に基づいて、データ電極駆動回路１０２、走査電極駆動回路１０４、維持電極駆動回路１０５にタイミング制御信号を出力する。
【００４６】
データ電極駆動回路１０２は、サブフィールド信号およびタイミング制御信号に応じて、ＰＤＰ１のデータ電極１０（図３のデータ電極Ｄ１〜Ｄｍ）にパルスを印加する。走査電極駆動回路１０４は、タイミング制御信号に応じて、ＰＤＰ１の走査電極５（図３の走査電極ＳＣＮ１〜ＳＣＮｎ）にパルスを印加し、維持電極駆動回路１０５は、タイミング制御信号に応じて、ＰＤＰ１の維持電極６（図３のＳＵＳ１〜ＳＵＳｎ）にパルスを印加する。データ電極駆動回路１０２、走査電極駆動回路１０４、維持電極駆動回路１０５には電源回路から必要な電力が供給されている。
【００４７】
ここで、走査電極駆動回路１０４には２つの上り傾斜波形電圧発生回路２０１、２０２が設けられており、それぞれ第１の上り傾斜波形電圧、および第２の上り傾斜波形電圧を発生する。以上の回路ブロックを備えることによって本実施の形態におけるＰＤＰの駆動方法を用いた十分な駆動マージンをもつ駆動装置を構成することができる。
【００４８】
【発明の効果】
本発明によれば、何らかの理由で壁電圧の変動が発生してもその変動分を補償し、高コントラスト駆動法においても十分な駆動マージンを確保するＰＤＰの駆動方法、および十分な駆動マージンを持った画像表示装置を提供することができる。
【図面の簡単な説明】
【図１】本発明の実施の形態に用いるＰＤＰの構造を示す分解斜視図
【図２】本発明の実施の形態に用いるＰＤＰの電極配列図
【図３】本発明の実施の形態におけるＰＤＰの駆動方法の駆動波形図
【図４】本実施の形態におけるＰＤＰの駆動方法を用いた駆動装置の一例を示す回路ブロック図
【図５】従来のＰＤＰの駆動方法における駆動波形図
【符号の説明】
１  ＰＤＰ
２  前面基板
３  背面基板
４  前面ガラス板
５  走査電極
６  維持電極
７，１１  誘電体層
８  保護層
９  背面ガラス板
１０  データ電極
１２  隔壁
１３  蛍光体層
１４  放電空間
１５  放電セル
１００  駆動装置
１０１  映像信号処理回路
１０２  データ電極駆動回路
１０３  タイミング制御回路
１０４  走査電極駆動回路
１０５  維持電極駆動回路
２０１，２０２  上り傾斜波形電圧発生回路
【図１】
2004157291.tif 000003
【図２】
2004157291.tif 000004
【図３】
2004157291.tif 000005
【図４】
2004157291.tif 000006
【図５】
2004157291.tif 000007